(57)【要約】  リモコン（３０）の表示部に、当該リモコン（３０）によって操作される室内機（２１〜２５）、及び室外機（２７）に関連する情報や、室内機（２１〜２５）が設置される区画の表示画像（ＰＲ）などを表示する。これにより、ユーザは、機室内機（２１〜２５）の運転履歴を、機側で確認したり、室内機（２１〜２５）或いは室外機（２７）に異常が発生した場合に、機側でトラブルシューティングを行うことができる。したがって、設備機器（２０）のユーザビリティを向上することができる。
2014080465.tif 000002
【特許請求の範囲】
【請求項１】
施設で利用される設備機器と通信を行う管理装置と、
前記設備機器の機側にそれぞれ配置され、前記機器を操作するリモコンと、
前記管理装置、前記設備機器、及び前記リモコンとで構成される第１ネットワークと、
前記管理装置、及び前記リモコンとで構成される第２ネットワークと、
を有する設備機器システム。
【請求項２】
前記第２ネットワークは、前記リモコンの画面に表示される情報の送受信に用いられる請求項１に記載の設備機器システム。
【請求項３】
前記第１ネットワークは、前記設備機器の制御に用いられる請求項１又は２に記載の設備機器システム。
【請求項４】
前記管理装置は、前記第１ネットワークを介して、前記設備機器に関する情報を取得して時系列的に記憶する請求項１乃至３のいずれか一項に記載の設備機器システム。
【請求項５】
前記管理装置は、インターネットに接続されている請求項１乃至４のいずれか一項に記載の設備機器システム。
【請求項６】
前記第２ネットワークはローカルエリアネットワークである請求項１乃至５のいずれか一項に記載の設備機器システム。
【請求項７】
前記設備機器は、室内機と室外機を備える空調機器である請求項１乃至６のいずれか一項に記載の設備機器システム。
【発明の詳細な説明】
【技術分野】
【０００１】
本発明は、設備機器システムに関する。
【背景技術】
【０００２】
オフィスビルや店舗などの大規模な施設に設置される設備機器は、ネットワークを介して相互に接続され、管理装置によって集中的に管理される。分散配置された設備機器を、管理装置を用いて集中的に管理することで、各設備機器を、施設の利用状況に応じて効率的に運用することが可能となる。【０００３】
設備機器の管理装置は、ワークステーションやパーソナルコンピュータから構成されるのが一般的である。この種の管理装置は、設備機器が設置された建物のフロア図に重ねて、室内機や室外機などの設備機器を表示したり、各設備機器の運転履歴やインターネットを介して取得した種々の情報を表示する（例えば特許文献１参照）。【０００４】
特許文献１に開示された管理装置は、設備機器に関する複数の情報を階層的に保有している。そして、管理装置は、保有する設備機器に関する情報を、図形などのオブジェクトとともに表示する。ユーザによって、表示されたオブジェクトが指定されると、当該オブジェクトに関連する情報が更にオブジェクトともに、画面上に表示される。ユーザは、画面上に順次表示されるオブジェクトを指定していくことで、所望の情報に関連する情報を順次、画面上に展開していくことができる。
【先行技術文献】
【特許文献】
【０００５】
【特許文献１】特開２０１０−２５５９５４号公報
【発明の概要】
【発明が解決しようとする課題】
【０００６】
特許文献１に開示された管理装置では、設備機器に関する情報が、当該設備機器を集中管理する管理装置に表示される。しかしながら、当該設備機器に関する情報は、設備機器を機側で操作するリモコンなどには表示されない。このため、設備機器の機側にいるユーザは、当該設備機器に関する情報を閲覧することができない。したがって、設備機器に異常が発生した場合に、機側でのトラブルシューティングを行うことが困難であり、不便であった。【０００７】
本発明は、上述の事情の下になされたもので、管理装置が保有する情報を、設備機器の機側に表示することにより、設備機器のユーザビリティを向上することを目的とする。
【課題を解決するための手段】
【０００８】
上記目的を達成するため、本発明に係る設備機器システムは、施設で利用される設備機器と通信を行う管理装置と、設備機器の機側にそれぞれ配置され、機器を操作するリモコンと、管理装置、設備機器、及びリモコンとで構成される第１ネットワークと、管理装置、及びリモコンとで構成される第２ネットワークと、を有する。
【発明の効果】
【０００９】
本発明によれば、管理装置、設備機器及びリモコンとで構成される第１ネットワークを介して、設備機器を制御するとともに、管理装置とリモコンとで構成される第２ネットワークを介して、管理装置が保有する情報を、リモコンを使って閲覧することができる。これにより、設備機器の機側で管理装置が保有する情報を閲覧することができる。したがって、設備機器のユーザビリティを向上することができる。
【図面の簡単な説明】
【００１０】
【図１】本実施形態に係る設備機器システムのブロック図である。
【図２】設備機器を構成する各機器の配置図である。
【図３】リモコンのブロック図である。
【図４】設備管理装置のブロック図である。
【図５】設備管理装置の補助記憶部に記憶される情報を示す図である。
【図６】フロアの平面図である。
【図７】運転状態を示す情報を模式的に示す図である。
【図８】設備管理装置の表示部に表示される画像を示す図である。
【図９】機器情報の表示形態を説明するための図である。
【図１０】情報閲覧ウインドを示す図である。
【図１１】設備管理装置のＣＰＵが実行する一連の処理を示すフローチャートである。
【図１２】表示画像を示す図である。
【図１３】リモコンの表示部に表示される画像を示す図である。
【発明を実施するための形態】
【００１１】
以下、本発明の一実施形態を、図面を参照しつつ説明する。図１は、本実施形態に係る設備機器システム１００のブロック図である。設備機器システム１００は、オフィスビルに設置される設備機器を管理するためのシステムである。図１に示されるように、設備機器システム１００は、設備管理装置１０、設備機器２０を有している。
【００１２】
設備機器２０は、室内機２１〜２５、これらの室内機２１〜２５を操作するためのリモコン３０、及び室外機２７を有している。
【００１３】
図２は、設備機器２０を構成する機器の配置図である。図２に示されるように、設備機器２０は、５つのフロア１Ｆ〜５Ｆを有する５階建てのオフィスビル９０に設置されている。本実施形態では、フロア１Ｆの天井には室内機２１１〜２５１が設置されている。フロア２Ｆの天井には室内機２１２〜２５２が設置されている。フロア３Ｆの天井には室内機２１３〜２５３が設置されている。フロア４Ｆの天井には室内機２１４〜２５４が設置されている。フロア５Ｆの天井には室内機２１５〜２５５が設置されている。また、オフィスビル９０の屋上には、室外機２７が設置されている。
【００１４】
図１を参照するとわかるように、各フロアに設置された室内機２１〜２５は、それぞれ対応するリモコン３０によって操作される。このリモコン３０は、室内機２１〜２５と赤外線通信を行うことができる。各フロアを利用するユーザは、当該リモコン３０を介して、室内機２１〜２５の運転、停止、温度の設定、出力の設定等を行うことができる。
【００１５】
図３は、リモコン３０のブロック図である。図３に示されるように、リモコン３０は、ＣＰＵ（Central Processing Unit）３１、主記憶部３２、補助記憶部３３、表示部３４、入力部３５、２つのインタフェース部３６ａ，３６ｂ、及び上記各部を相互に接続するシステムバス３７を有している。
【００１６】
主記憶部３２は、ＲＡＭ（Random Access Memory）等を含んで構成され、ＣＰＵ３１の作業領域として用いられる。
【００１７】
補助記憶部３３は、ＲＯＭ（Read Only Memory）や、半導体メモリ等の不揮発性メモリを含んで構成されている。この補助記憶部３３は、ＣＰＵ３１が実行するプログラム、及び各種パラメータなどを記憶している。
【００１８】
表示部３４は、ＬＣＤ（Liquid Crystal Display）を有し、ＣＰＵ３１の処理結果等を表示する。
【００１９】
入力部３５は、ハードキーや、タッチパネルなどのポインティングデバイスを有している。リモコン３０では、入力部３５と表示部３４とでＧＵＩ（Graphical User Interface）が構成されている。
【００２０】
インタフェース部３６ａは、赤外線通信インタフェースである。ＣＰＵ３１は、インタフェース部３６ａを介して、設備機器２０を構成する室内機２１〜２５に種々の指令を送信することができる。
【００２１】
インタフェース部３６ｂは、無線ＬＡＮインタフェースである。ＣＰＵ３１は、インタフェース部３６ｂを介して、設備管理装置１０と通信することができる。
【００２２】
図２に示されるように、室内機２１〜２５それぞれと室外機２７は、冷媒が循環する配管２８によって相互に接続されている。そして、室内機２１〜２５では、配管２８を循環する冷媒と室内の空気との間で熱交換が行われ、室外機２７では、配管２８を循環する冷媒と外気との間で熱交換が行われる。これにより、各フロア１Ｆ〜５Ｆの空気と外気との間の熱交換が行われ、オフィスビル９０の各フロア１Ｆ〜５Ｆの空調が実現する。
【００２３】
図４は、設備管理装置１０のブロック図である。図４に示されるように、設備管理装置１０は、ＣＰＵ１１、主記憶部１２、補助記憶部１３、表示部１４、入力部１５、３つのインタフェース部１６ａ，１６ｂ，１６ｃ、及び上記各部を相互に接続するシステムバス１７を有するコンピュータである。
【００２４】
主記憶部１２は、ＲＡＭ等を含んで構成され、ＣＰＵ１１の作業領域として用いられる。
【００２５】
補助記憶部１３は、ＲＯＭ、磁気ディスク、半導体メモリ等の不揮発性メモリを含んで構成されている。この補助記憶部１３は、ＣＰＵ１１が実行するプログラム、及び各種パラメータなどを記憶している。また、設備機器２０を構成する各機器についての機器情報等を記憶している。
【００２６】
図５は、補助記憶部１３に記憶される情報を模式的に示す図である。図５に示されるように、補助記憶部１３には、物件名、フロア情報、インターネット情報などが記憶されている。
【００２７】
物件名とは、設備機器２０が設置されたオフィスビルの名称や、商業施設の名称である。
【００２８】
フロア情報は、フロア平面図、フロア入力情報、システム通知情報から構成される。そして、当該フロア情報を構成するフロア平面図は、オフィスビル９０の各フロアの平面図を規定する画像情報である。図６は、フロア１Ｆの平面図ＭＰ１である。図６を参照するとわかるように、平面図ＭＰ１には、３つの区画ＳＰ１，ＳＰ２，ＳＰ３を規定する外壁及び内壁と、フロア１Ｆに配置された机やキャビネットなどの家具類が表示されている。また、この平面図ＭＰ１では、図６に示されるように、左下のコーナーを原点とするＸＹ座標系が規定されている。したがって、平面図ＭＰ１上の位置は座標（ｘ，ｙ）で特定することができる。
【００２９】
本実施形態では、オフィスビル９０の各フロア１Ｆ〜５Ｆの平面図、及び屋上の平面図についての画像情報が、予め補助記憶部１３に記憶されている。
【００３０】
フロア入力情報は、異常対応作業情報、通信線情報、冷媒配管情報から構成されている。そして、異常対応作業情報は、作業日、作業者ＩＤ、作業内容メモから構成されている。この異常対応作業情報は、設備機器２０のユーザによって入力される。
【００３１】
作業日は、上記復旧作業を行った日や期間を特定するための情報であり、例えば「２０１０年○月○日」或いは「２０１０年○月○日〜○月○日」といったように、作業日、或いは作業期間を特定するために十分な情報である。
【００３２】
作業者ＩＤは、設備機器２０を保守管理する作業者に個別に割り当てられた識別情報である。この識別情報に基づいて、復旧作業を行った作業者の名前、所属等を特定することができる。
【００３３】
作業内容メモは、例えば室内機２１〜２５或いは室外機２７が故障したときに、当該故障した機器を復旧するために要した作業の内容である。具体的には、「冷却ファンの交換」、「破損した冷媒配管の交換」といったように、復旧作業の内容を特定するための情報である。
【００３４】
通信線情報は、配線位置、線長、線種を示す情報から構成され、それぞれの情報は、設備機器２０の設置工事完了時に、設備機器２０の供給元や、保守管理者によって入力される。
【００３５】
室内機２１〜２５、室外機２７、設備管理装置１０は、図１に示されるように、通信線によって相互に接続されている。上述の配線位置とは、機器相互間を接続する通信線の敷設経路を特定するための情報である。この配線位置は、フロア平面図における位置を特定する情報であり、通信線の始点の座標（ｘ１，ｙ１）と終点の座標（ｘ２，ｙ２）をいう。例えば、図６に示されるように、室内機２１１と室内機２２１との間に敷設された通信線２９については、室内機２１１の座標（ｘ２１，ｙ２１）と、室内機２２１の座標（ｘ２２，ｙ２２）が配線位置を示す情報として記憶される。
【００３６】
線長とは、通信線自体の長さを示す情報である。具体的には、図６に示されるように、室内機２１１から室内機２２１へ敷設された通信線２９の長さ示す情報である。また、線種とは、当該通信線の用途、外径等の情報をいう。
【００３７】
図５に戻り、冷媒配管情報は、配管位置、管長、管種を示す情報から構成され、それぞれの情報は、設備機器２０の設置工事完了時に、設備機器２０の供給元や、保守管理者によって入力される。
【００３８】
室内機２１〜２５、室外機２７は、図２に示されるように、配管２８によって相互に接続されている。上述の配管位置とは、機器相互間を接続する配管２８の敷設経路を特定するための情報である。この配管位置は、フロア平面図における位置を特定する情報であり、配管２８の始点の座標（ｘ３，ｙ３）と終点の座標（ｘ４，ｙ４）をいう。例えば、図６に示されるように、室内機２１１と室内機２２１との間に敷設された配管２８については、室内機２１１の座標（ｘ２１，ｙ２１）と、室内機２２１の座標（ｘ２２，ｙ２２）が配線位置を示す情報として記憶される。
【００３９】
配管長とは、配管２８自体の長さを示す情報である。具体的には、図６に示されるように、室内機２１１から室内機２２１へ敷設された配管２８の長さを示す情報である。また、管種とは、配管を流れる冷媒の向き、外径等の情報をいう。
【００４０】
図５に戻り、システム通知情報は、設備器機器情報と外部情報とから構成されている。設備機器情報は、設備機器２０を構成する各機器について情報であり、設備機器ＩＤ、機種、設置位置、グループＩＤ、運転状態、操作内容を示す情報から構成されている。
【００４１】
設備機器ＩＤは、アルファベットや数字から構成されるコードであり、機器ごとに割り当てられている。設備管理装置１０は、設備機器２０との通信を行う際に、この識別コードに基づいて、各室内機２１〜２５、及び室外機２７を認識する。
【００４２】
機種とは、機器が室内機であるか室外機であるかを示す情報、機器の製造メーカ、機器のスペック等を特定するための情報である。この機種情報は、機器ごとに割り当てられている。
【００４３】
設置位置とは、機器が設置されるフロアを特定するための情報や、フロア内で機器の位置を特定するための情報である。機器については、図６に示されるように、フロアの一角を原点としたＸＹ座標系を基準とする座標（ｘ，ｙ）をいう。この設置位置を示す情報を用いると、図６に示されるように、フロア１Ｆにレイアウトされた室内機２１１〜２５１を、フロア１Ｆの平面図ＭＰ１に重ねて、表示することが可能となる。
【００４４】
グループＩＤとは、室内機２１〜２５から構成されるグループを特定するための情報である。このグループＩＤは、各室内機２１〜２５に割り当てられている。
【００４５】
図６を参照するとわかるように、本実施形態では、フロア１Ｆの区画ＳＰ１に設置される室内機２１１〜２３１が１つのグループを構成し、区画ＳＰ２，ＳＰ３に設置される室内機２４１，２５１はグループを構成しない。上記グループを第１グループとすると、室内機２１１〜２５１には、当該室内機２１１〜２５１が第１グループに属することを示すグループＩＤが割り当てられる。また、室内機２４１，２５１には、当該室内機２４１，２５１が第１グループに属さないことを示すグループＩＤが割り当てられる。
【００４６】
設備管理装置１０は、室内機２１１〜２５１との通信によって得たグループＩＤから、各室内機２１１〜２５１が共通するグループに属することを認識することができる。
【００４７】
また、リモコン３０１による操作では、共通のグループに属する室内機２１１〜２５１が統括的に操作される。具体的には、リモコン３０１による温度の設定、出力の設定が、室内機２１１〜２５１のいずれかになされると、室内機２１１〜２５１それぞれは、共通の設定温度、出力で運転される。
【００４８】
他のフロア２Ｆ〜５Ｆに設置される室内機についても、同様にグループＩＤが規定されている。
【００４９】
以上説明した、機種、設置位置、グループＩＤについての情報は、設備機器２０の設置工事完了時に、設備機器２０の供給元や、保守管理者によって入力される。
【００５０】
運転状態とは、機器の運転状態を示す情報である。図７は、運転状態を示す情報を模式的に示す図である。図７に示されるように、運転状態は、機器の状態と日時とを示す情報からなる。機器の状態を示す情報は、室内機２１〜２５の設定温度、冷房運転中であるか暖房運転中であるかを特定するための情報、運転中であるか停止中であるかを特定するための情報等である。これらの情報は、図７を参照するとわかるように、時系列的に記憶される。時系列的に記憶された機器の状態を示す情報、及び日時を示す情報は、当該室内機２１〜２５の運転履歴を示す情報となる。
【００５１】
図５に戻り、操作内容とは、リモコン３０を介して入力されたユーザからの指令を示す情報である。この情報は、ユーザによって設定された温度、選択された運転モードを特定するための情報である。
【００５２】
以上説明した、運転状態、操作内容は、各室内機２１〜２５から出力され、補助記憶部１３に順次蓄積される情報である。
【００５３】
インターネット情報は、インターネット４０に接続されるサーバ５０から取得した情報である。インターネット情報は、気象情報、気温情報、風速情報などの情報から構成されている。気象情報とは、設備機器２０が設置されたオフィスビル９０が位置する地域の天候を示す情報である。気温情報とは、設備機器２０が設置されたオフィスビル９０が位置する地域の気温を示す情報である。風速情報とは、設備機器２０が設置されたオフィスビル９０が位置するところの風速を示す情報である。これらの情報は、インターネット４０を介して、サーバ５０から取得される。
【００５４】
図４に戻り、表示部１４は、ＬＣＤを有し、ＣＰＵ１１の処理結果等を表示する。
【００５５】
入力部１５は、キーボードやマウス等のポインティングデバイスからなるユーザインタフェースを有している。ユーザ等の指示は、この入力部１５を介して入力され、システムバス１７を経由してＣＰＵ１１に通知される。
【００５６】
インタフェース部１６ａは、設備機器２０を構成する室内機２１〜２５、及び室外機２７が接続されるインタフェースである。このインタフェース部１６ａに、室内機２１〜２５、及び室外機２７が接続されることで、図１に示されるように、設備管理装置１０、室内機２１〜２５、リモコン３０、室外機２７による第１のネットワーク５１が構成される。この第１のネットワーク５１では、主としてシステム通知情報の送受信が行われる。
【００５７】
インタフェース部１６ｂは、無線ＬＡＮインタフェースである。ＣＰＵ１１は、インタフェース部１６ｂを介して、リモコン３０と通信することができる。設備機器システム１００では、インタフェース部１６ｂと、リモコン３０それぞれとの通信が確立することで、図１に示されるように、設備管理装置１０とリモコン３０によるネットワーク５２が構成される。ネットワーク５２では、主としてフロア情報、システム情報、インターネット情報の送受信が行われる。
【００５８】
インタフェース部１６ｃは、有線ＬＡＮインタフェースである。設備管理装置１０は、インタフェース部１６ｃを介して、インターネット４０に接続されている。
【００５９】
サーバ５０は、設備管理装置１０と同様に、ＣＰＵ、主記憶部、補助記憶部、表示部、入力部、及びインタフェース部を有するコンピュータである。サーバ５０は、インターネット情報を構成する気象情報、気温情報、風速情報を保有している。
【００６０】
次に、上述のように構成された、設備機器システム１００の使用方法について説明する。設備管理装置１０のユーザは、例えば、入力部１５を介して、ＣＰＵ１１に、フロア１Ｆに設置される機器の履歴情報の表示を指示する。これにより、表示部１８には、図８に示される画像ＰＨが表示される。
【００６１】
図８は、フロア１Ｆに設置される室内機２１１〜２５１がレイアウトされた平面図ＭＰ１と、タイムラインＴＬと、画像ＰＨについての補足事項ＮＴから構成されている。
【００６２】
室内機２１〜２５がレイアウトされた平面図ＭＰ１は、補助記憶部１３に記憶された画像情報と、当該平面図ＭＰ１における室内機２１１〜２５１の座標（ｘ，ｙ）から生成される。この平面図ＭＰ１には、例えば図６に示されるように、配管２８、通信線２９も必要に応じてレイアウトされた状態で表示される。
【００６３】
タイムラインＴＬは、室内機２１１〜２５１の運転履歴を時系的に表示させるためのものである。タイムラインＴＬは、年、月、日、時、分を示す５つのラインから構成されている。タイムラインＴＬの５つのラインは、ボタンｂ２が押下されると、タイムラインＴＬに重ねて表示される基準マークＳＭに対して、相対的に送られる。そして、ボタンｂ１，ｂ４が押下されると、基準マークＳＭに対して、相対的にラインが早戻しされ、或いは早送りされる。また、ボタンｂ３が押下されるとラインは停止する。
【００６４】
ユーザは、マウス等のポインティングデバイスを使って、ボタンｂ１〜ｂ４を操作することによりタイムラインＴＬを動かして、所望の時刻を基準マークＳＭに一致させることで、当該時刻での室内機２１１〜２５１の運転状況を、表示部１４に表示させることができる。室内機２１１〜２５１の運転状態の表示は、例えば平面図ＭＰ１にレイアウトされた室内機２１１〜２５１に重ねて、図９に示されるように、運転モード、設定温度等を表示することにより行われる。
【００６５】
また、図８に示されるように、室内機２１１〜２５１に異常が発生している場合には、平面図ＭＰ１にレイアウトされた室内機２１１〜２５１を示すアイコンの色や塗りつぶしパターンが変更される。タイムラインＴＬ上に示されるマークｍ１〜ｍ５は、タイムラインＴＬを構成するラインとともに移動するマークである。これらのマークｍ１〜ｍ５は、当該マークｍ１〜ｍ５と重なる時刻に、室内機２１１〜２５１のいずれかに異常が発生したことを示している。
【００６６】
ユーザは、ボタンｂ１〜ｂ４を操作することによりタイムラインＴＬを動かしてマークｍ１〜ｍ５を、基準マークＳＭに一致させることで、当該時刻で異常が発生した室内機２１１〜２５１を、表示させることができる。例えば、マークｍ１〜ｍ５を、基準マークＳＭに一致させたときに、図８に示されるように、室内機２２１，２５１の塗りつぶしパターンが変わった場合には、ユーザは、基準マークＳＭによって示される時刻に、室内機２２１，２５１に異常が発生したことを確認することができる。
【００６７】
また、ユーザは、例えば画面に表示される室内機２１１〜２５１を示すアイコンや、配管２８を示すアイコン、或いは通信線２９を示すアイコンをクリックすることで、対応する室内機２１１〜２５１等の機器についての情報を表示させることができる。具体的には、表示部１４に示される所望のアイコンをクリックすると、図１０に示される情報閲覧ウインドＷがポップアップして、対応する機器についての情報を閲覧することが可能となる。この情報閲覧ウインドＷに示される情報は、タイムラインＴＬのよって規定される時刻における情報であり、その内容は図５に示される情報の内容と等価である。
【００６８】
また、ユーザは、各フロア２Ｆ〜５Ｆについても、図８に示される画面に類する画面を表示部１４に表示させることができる。そして、同様に、各フロア２Ｆ〜５Ｆに配置された機器の履歴を、表示部１４に表示させることができる。
【００６９】
また、リモコン３０のユーザは、例えば、入力部３５を介して、ＣＰＵ３１に、フロアに設置される機器の履歴情報の表示を指示する。これにより、リモコン３０から、ネットワーク５２を介して、リモコン３０の設備機器ＩＤと、情報の送信指令が、設備管理装置１０に出力される。
【００７０】
設備管理装置１０のＣＰＵ１１は、リモコン３０からの設備機器ＩＤと、情報の送信指令とを受信すると、図１１のフローチャートに示される送信処理を実行する。なお、ここでは、説明の便宜上、リモコン３０は、図６に示される室内機２１１〜２３１を操作するために利用されているものとする。
【００７１】
最初のステップＳ１０１では、ＣＰＵ１１は、受信した設備機器ＩＤと、補助記憶部１３に記憶された設備機器ＩＤとを比較する。そして、受信した設備機器ＩＤが、補助記憶部１３に記憶された設備機器ＩＤと一致した場合には、当該設備機器ＩＤに関連するグループＩＤを抽出する。このグループＩＤは、リモコン３０によって操作される室内機２１〜２５を特定するためのものである。
【００７２】
次のステップＳ１０２では、ＣＰＵ１１は、抽出されたグループＩＤが割り当てられる室内機２１〜２５を特定する。例えば、リモコン３０が、図６に示される室内機２１１〜２３１を操作するために利用されているものである場合は、室内機２１１〜２３１が特定される。
【００７３】
次のステップＳ１０３では、ＣＰＵ１１は、特定した室内機２１〜２５の位置を特定する。室内機２１〜２５の特定は、設備機器情報を構成する設置位置に基づいて特定する。具体的には、ＣＰＵ３１は、補助記憶部１３に記憶された室内機２１１〜２３１の設置位置から、各室内機２１１〜２３１の位置を、ＸＹ座標系における位置座標（ｘ，ｙ）として特定する。
【００７４】
次のステップＳ１０４では、ＣＰＵ１１は、表示画像を決定する。この表示画像は、リモコン３０の表示部３４に表示される画像である。本実施形態では、リモコン３０によって操作する室内機２１〜２５が配置される区画の画像が表示画像として決定される。
【００７５】
例えば、ステップＳ１０２で特定された室内機２１１〜２３１は、図６に示されるように、区画ＳＰ１に設置されている。この場合には、図１２に示されように、平面図ＭＰ１から、区画ＳＰ１に対応する部分が、表示画像ＰＲとして切り出される。
【００７６】
次のステップＳ１０５では、ＣＰＵ１１は、表示画像ＰＲのサイズを、リモコン３０を構成する表示部３４の解像度に応じてリサイズする。具体的には、ＣＰＵ３１は、リモコン３０の設備機器ＩＤなどを参照して、リモコン３０の表示部３４を構成するＬＣＤの解像度を特定する。そして、この解像度に応じて表示画像ＰＲのサイズをリサイズする。
【００７７】
次のステップＳ１０６では、ＣＰＵ１１は、表示画像ＰＲの色を、リモコン３０を構成する表示部３４の表示色に応じて減色する。例えば、表示部３４がカラーに対応していない場合には、表示画像ＰＲを減色する。
【００７８】
次のステップＳ１０７では、ＣＰＵ１１は、表示画像ＰＲを、インタフェース部１６ｂに出力する。これにより、表示画像ＰＲが、ネットワーク５２を介して、リモコン３０に送信される。ＣＰＵ３１は、ステップＳ１０７の処理を終了すると、送信処理を終了する。
【００７９】
リモコン３０のＣＰＵ３１は、表示画像ＰＲを受信すると、リモコン３０を構成する補助記憶部３３に記憶されたブラウザのプログラムを起動する。そして、ブラウザを用いて、表示画像ＰＲを表示する。これにより、一例として図１３に示されるように、リモコン３０の表示部３４には、当該リモコン３０によって操作される室内機２１１〜２３１が、当該室内機２１１〜２３１が配置される区画ＳＰ１の画像とともに表示される。これにより、リモコン３０を設備管理装置１０と同等に使用することが可能となる。
【００８０】
以上説明したように、本実施形態では、一例として図１３に示されるように、リモコン３０の表示部３４に、当該リモコン３０によって操作される室内機２１〜２５と、室内機２１〜２５が設置される区画の表示画像ＰＲとが同時に表示される。そして、ユーザは、リモコン３０に表示されるタイムラインＴＬを操作することで、フロアに設置された複数の機器の運転状況の遷移を、当該機器のレイアウトともに確認することができる。
【００８１】
したがって、設備機器２０を構成する室内機２１〜２５や室外機２７に異常が発生した場合には、設備管理装置１０の代わりにリモコン３０を用いることで、室内機２１〜２５の機側でトラブルシューティングを行うことができる。これにより、設備機器２０のユーザビリティが向上する。
【００８２】
本実施形態では、設備管理装置１０と、設備機器２０を構成する室内機２１〜２５、室外機２７、及びリモコン３０とで、第１のネットワーク５１が構成される。また、設備管理装置１０とリモコン３０とで、第２のネットワーク５２が構成される。したがって、第１のネットワーク５１を室内機２１〜２５及び室外機２７の制御に用い、第２のネットワーク５２を、リモコン３０への表示画像の送信に用いることができる。このため、室内機２１〜２５などの制御に影響を与えることなく、表示画像などのユーザビリティの向上に寄与する情報を、リモコン３０へ送信することが可能となる。
【００８３】
また、設備機器２０の制御に用いられる第１のネットワーク５１は、情報の送信速度よりも通信の安定性や正確性が重視される。また、ユーザビリティの向上に寄与する情報の送信に用いられる第２のネットワーク５２は、通信の安定性や正確性よりも、情報の送信速度が重視される。本実施形態では、ネットワーク５１とネットワーク５２の２系統のネットワークを有している。このため、第２のネットワーク５２としては、イーサーネットの規格に準拠したネットワークが考えられる。一方、第１のネットワーク５１については、通信速度を上げる必要がないので、設備機器２０の制御の信頼性が損なわれることがない。
【００８４】
本実施形態では、ステップＳ１０５及びステップＳ１０６の処理により、表示画像ＰＲを示す画像情報が、リモコン３０の画像に適したものとなる。これにより、必要以上に大きな容量の画像情報が送信されることがなくなる。したがって、ユーザビリティの向上に寄与する情報を短時間に送信することができる。
【００８５】
また、必要以上に大きな容量の画像情報が送信されることがないので、ある程度の通信処理能力を有する装置で、第２のネットワーク５２を構築することができる。このため、設備機器システム１００の製造コストやランニングコストの上昇を抑制することができる。
【００８６】
以上、本発明の実施形態について説明したが、本発明は上記実施形態によって限定されるものではない。例えば、上記実施形態では、リモコン３０の表示部３４に、当該リモコン３０によって操作される室内機２１〜２５と、室内機２１〜２５が設置される区画ＳＰ１〜ＳＰ３の表示画像ＰＲとが表示されることとした。これに限らず、リモコン３０の表示画面には、例えば図１０に示されるように、物件名、フロア入力情報、通信線情報、冷媒配管情報、システム通信情報、インターネット情報などが表示されることとしてもよい。これにより、リモコン３０のユーザは、室内機２１〜２５のメーカ、型式、スペック、工事履歴等を、機側で確認することが可能となる。これにより、トラブルシューティングが容易となる。
【００８７】
また、リモコン３０の表示部３４に、消費電力や電力料金等が表示されることとしてもよい。これにより、ユーザに節電を意識させることができ、設備機器２０の省エネ運用が可能となる。
【００８８】
上記実施形態では、リモコン３０が、設備管理装置１０を介して、インターネット４０に接続される。これに限らず、リモコン３０は、設備管理装置１０を介することなく、例えば商用のネットワークを介して、インターネット４０に接続されていてもよい。これにより、リモコン３０を、スマートホンなどに代表される汎用的な通信端末として用いることができる。
【００８９】
上記実施形態では、リモコン３０の表示部３４に、当該リモコン３０の操作対象となる室内機２１〜２５についての情報が表示されることとした。これに限らず、当該リモコン３０の操作対象以外の室内機２１〜２５や室外機２７についての情報が表示されることとしてもよい。
【００９０】
上記実施形態では、設備機器２０が、オフィスビル９０に設置される場合について説明した。これに限らず、設備機器２０は、その他の商業施設に設置されてもよい。また、本発明は、施設のフロアの数、室内機の数或いは室外機の数によって限定されるものではない。
【００９１】
上記実施形態では、設備機器２０が、室内機２１〜２５と室外機２７とから構成される空調装置である場合について説明した。設備機器２０は、室内機２１〜２５と室外機２７以外の装置を備えていてもよい。また、照明システムのように、オフィスビル等に分散配置される機器を有するシステムであってもよい。
【００９２】
上記実施形態に係る設備管理装置１０やリモコン３０は、専用のハードウエアによっても、通常のコンピュータシステムによっても実現することができる。
【００９３】
上記実施形態では、設備管理装置１０の補助記憶部１３、リモコン３０の補助記憶部３３にプログラムが記憶されていることとしたが、当該プログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータで読み取り可能な記録媒体に格納して配布し、そのプログラムをコンピュータにインストールすることにより、上述の処理を実行する設備管理装置１０或いはリモコン３０を構成することとしてもよい。
【００９４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９５】
本発明の設備機器システムは、設備機器の操作、或いは管理に適している。
【符号の説明】
【００９６】
１０  設備管理装置、１１  ＣＰＵ、１２  主記憶部、１３  補助記憶部、１４  表示部、１５  入力部、１６ａ〜１６ｃ  インタフェース部、１７  システムバス、１８  表示部、２０  設備機器、２１〜２５  室内機、２７  室外機、２８  配管、２９  通信線、３０  リモコン、３１  ＣＰＵ、３２  主記憶部、３３  補助記憶部、３４  表示部、３５  入力部、３６ａ，３６ｂ  インタフェース部、３７  システムバス、４０  インターネット、５０  サーバ、５１，５２  ネットワーク、９０  オフィスビル、１００  設備機器システム、１Ｆ〜５Ｆ  フロア、ＭＰ１  平面図、ＰＨ  画像、ＰＲ  表示画像、ＳＭ  基準マーク、ＳＰ１〜ＳＰ３  区画、Ｗ  情報閲覧ウインド、ｂ１〜ｂ４  ボタン、ｍ１〜ｍ５  マーク
【図１】
2014080465.tif 000003
【図２】
2014080465.tif 000004
【図３】
2014080465.tif 000005
【図４】
2014080465.tif 000006
【図５】
2014080465.tif 000007
【図６】
2014080465.tif 000008
【図７】
2014080465.tif 000009
【図８】
2014080465.tif 000010
【図９】
2014080465.tif 000011
【図１０】
2014080465.tif 000012
【図１１】
2014080465.tif 000013
【図１２】
2014080465.tif 000014
【図１３】
2014080465.tif 000015
【手続補正書】
【提出日】平成27年4月2日(2015.4.2)
【手続補正２】
【補正対象書類名】明細書
【補正対象項目名】０００１
【補正方法】変更
【補正の内容】
【０００１】
本発明は、設備機器システム、設備管理装置、及びプログラムに関する。
【手続補正３】
【補正対象書類名】明細書
【補正対象項目名】０００８
【補正方法】変更
【補正の内容】
【０００８】
上記目的を達成するため、本発明に係る設備機器システムは、施設で利用される設備機器と通信を行う管理装置と、設備機器の機側にそれぞれ配置され、機器を操作するリモコンと、管理装置、設備機器、及びリモコンとで構成される第１ネットワークと、管理装置、及びリモコンとで構成される第２ネットワークと、を有する設備機器システムであって、管理装置は、第１ネットワークを介して、設備機器に関する履歴情報を取得して時系列的に記憶する記憶手段と、履歴情報を表示するための画像と、日時を指定するためのタイムラインと、該タイムラインの一部に重なって配置される基準マークと、を表示する表示手段と、を備え、画像には、基準マークに重なるタイムラインの部分が示す日時に取得された履歴情報が表示される。
【手続補正４】
【補正対象書類名】特許請求の範囲
【補正対象項目名】全文
【補正方法】変更
【補正の内容】
【特許請求の範囲】
【請求項１】
施設で利用される設備機器と通信を行う管理装置と、
前記設備機器の機側にそれぞれ配置され、前記機器を操作するリモコンと、
前記管理装置、前記設備機器、及び前記リモコンとで構成される第１ネットワークと、
前記管理装置、及び前記リモコンとで構成される第２ネットワークと、
を有する設備機器システムであって、
前記管理装置は、
前記第１ネットワークを介して、前記設備機器に関する履歴情報を取得して時系列的に記憶する記憶手段と、
前記履歴情報を表示するための画像と、日時を指定するためのタイムラインと、該タイムラインの一部に重なって配置される基準マークと、を表示する表示手段と、を備え、
前記画像には、前記基準マークに重なる前記タイムラインの部分が示す日時に取得された前記履歴情報が表示される、
設備機器システム。
【請求項２】
前記表示手段は、前記基準マークに対して前記タイムラインを相対的にスクロールさせるためのボタンを表示する、
請求項１に記載の設備機器システム。
【請求項３】
前記表示手段は、前記設備機器に異常が発生した日時に対応する前記タイムラインの部分に、その旨を示すマークを重ねて表示する、
請求項１又は２に記載の設備機器システム。
【請求項４】
前記第２ネットワークは、前記リモコンの画面に表示される情報の送受信に用いられる請求項１から３のいずれか一項に記載の設備機器システム。
【請求項５】
前記第１ネットワークは、前記設備機器の制御に用いられる請求項１から４のいずれか一項に記載の設備機器システム。
【請求項６】
前記管理装置は、インターネットに接続されている請求項１から５のいずれか一項に記載の設備機器システム。
【請求項７】
前記第２ネットワークはローカルエリアネットワークである請求項１から６のいずれか一項に記載の設備機器システム。
【請求項８】
前記設備機器は、室内機と室外機を備える空調機器である請求項１から７のいずれか一項に記載の設備機器システム。
【請求項９】
ネットワークを介して設備機器に接続される設備管理装置であって、
前記設備管理装置は、
前記ネットワークを介して、前記設備機器に関する履歴情報を取得して時系列的に記憶する記憶手段と、
前記履歴情報を表示するための画像と、日時を指定するためのタイムラインと、該タイムラインの一部に重なって配置される基準マークと、を表示する表示手段と、を備え、
前記画像には、前記基準マークに重なる前記タイムラインの部分が示す日時に取得された前記履歴情報が表示される、
設備管理装置。
【請求項１０】
ネットワークを介して設備機器に接続されるコンピュータを、
前記ネットワークを介して、前記設備機器に関する履歴情報を取得して時系列的に記憶する記憶手段、
前記履歴情報を表示するための画像と、日時を指定するためのタイムラインと、該タイムラインの一部に重なって配置される基準マークと、を表示する表示手段、として機能させ、
前記画像には、前記基準マークに重なる前記タイムラインの部分が示す日時に取得された前記履歴情報が表示される、
プログラム。
【国際調査報告】
2014080465.tif 000016
2014080465.tif 000017